(57)【要約】      （修正有）【課題】設置個所の床面に痕跡を残すことなく，確実に固定することが出来る電源ポールを提供する。【解決手段】電源ポール１０は，床に固定された椅子１１に隣接して配置され，ブラケット１２を介して椅子のアーム１３に固定されており，床面に接触する部分には固定部材を設けていない。【選択図】図４
0003221355.tif 000002
【実用新案登録請求の範囲】
【請求項１】
椅子に隣接して配置されており，ブラケットを介して椅子のアームに固定されており，床面に接触する部分には固定部材を設けていないことを特徴とする電源ポール。
【請求項２】
同一高さ方向位置に複数のコンセントを配置した請求項１の電源ポール。
【請求項３】
内部に配線用遮断器を備え，当該配線用遮断器の最大定格電流が１０Ａ以下に設定されている請求項１，２の何れかの電源ポール。
【請求項４】
ケーシングの上端部が透光性材料で構成されており，透光性材料の直下の位置に発光機器が設けられている請求項１〜３の何れか１項の電源ポール。
【請求項５】
複数のブラケットを備え，椅子のアームに取り付け可能な接続部材が各ブラケットの椅子のアーム側端部に接続している請求項１〜４の何れか１項の電源ポール。
【請求項６】
少なくとも２脚の椅子間に配置され，前記複数のブラケットは平面形状が概略Ｘ字状になる様に配置されている請求項１〜５の何れか１項の電源ポール。
【請求項７】
前記ブラケットの電源ポール側の端部は保護部材が設けられており，ブラケットを電源ポールに取り付ける固定部材は保護部材に埋設されている請求項１〜６の何れか１項の電源ポール。
【考案の詳細な説明】
【技術分野】
【０００１】
本考案は，例えば空港等の公共施設において携帯タイプの情報機器（例えば，スマートフォン等やタブレット，その他の端末）に電源を供給するための電源ポールに関する。
【背景技術】
【０００２】
近年の情報機器の普及に伴い，情報機器の充電のため，各種設備が用意されている。電源ポールもその一つである（例えば，特開平７−２２０８３２号公報）。
従来の電源ポールは，例えば空港のラウンジ等の床面に，ボルト等で固定されている。
そのため，従来の電源ポールの設置個所の床面には，当該ポールを固定した痕跡（例えばボルト埋設の痕跡）が残存する。
【０００３】
しかし，例えば空港のロビー等の公共施設ではレイアウトが頻繁に変更されるため，レイアウトの変更後には床面に電源ポールを固定した痕跡が残存する。そして当該痕跡が露出する場合がある。係る痕跡が露出することは，床面の損傷部分が旅行客の目に晒されることであり，公共施設である空港の利用者（旅行客）が不快を感じる恐れが存在する。
一方，電源ポールを床上に載置するのみであれば電源ポール固定の痕跡が床面に残存することは無いが，電源ポールが転倒してしまう恐れがあり，危険である。
【０００４】
なお，上述した電源ポール（特開平７−２２０８３２号公報記載の電源ポール）は，設置個所の床面に痕跡を残すことなく電源ポールを確実に固定するという問題の解決手段を示すものではない。
【考案の概要】
【考案が解決しようとする課題】
【０００５】
本考案は上述した従来技術の問題点に鑑みて提案されたものであり，設置個所の床面に痕跡を残すことなく，確実に固定することが出来る電源ポールの提供を目的としている。
【課題を解決するための手段】
【０００６】
本考案の電源ポール（１０）は，椅子（１１）に隣接して配置されており，ブラケット（１２）を介して椅子（１１）のアーム（１３）に固定されており，床面に接触する部分には固定部材を設けていないことを特徴としている。
ここで，前記椅子（１１）は，隣接する椅子同士を連結するアーム（１３）を具備している。
【０００７】
本考案の電源ポール（１０）は同一高さ方向位置に（おける周方向）に複数（例えば４箇所）のコンセント（２）を配置しているのが好ましい。
そして本考案では，同一高さ方向位置（における周方向）で隣接するコンセント（２）の基盤が，相互に上下方向が逆になる様に配置されているのが好ましい。
【０００８】
本考案において，内部に配線用遮断器（３：ブレーカー）を備え，当該配線用遮断器（３：ブレーカー）の最大定格電流が（１５Ａ未満，好ましくは）１０Ａ以下に設定されていることが好ましい。
また本考案において，ケーシング（１）の上端部（１Ａ）が透光性材料で構成されており，透光性材料の直下の位置に発光機器（４：例えばＬＥＤ電球）が設けられているのが好ましい。
【０００９】
そして本考案において，複数のブラケット（１２）を備え，椅子（１１）のアーム（１３）に取り付け可能な接続部材（１４）が各ブラケット（１２）の椅子（１１）のアーム（１３）側端部に接続しているのが好ましい。
【００１０】
本考案の電源ポール（１０）は少なくとも２脚の椅子（１１）間に配置され，前記複数のブラケット（１２）は平面形状が概略Ｘ字状になる様に配置されているのが好ましい。
【００１１】
また，前記ブラケット（１２）の電源ポール（１０）側の端部は保護部材（１５）が設けられており，ブラケット（１２）を電源ポール（１０）に取り付ける固定部材（１６：例えば，ボルトヘッド等）は保護部材（１５）に埋設されているのが好ましい。
【考案の効果】
【００１２】
上述の構成を具備する本考案によれば，（本考案の電源ポール１０は）椅子（１１）に隣接して配置されており，ブラケット（１２）を介して椅子（１１）のアーム（１３）に固定されているので，例えば空港ロビーの様に旅行客の休息用の椅子が配置されている場所であれば，何処でも本考案の電源ポール（１０）を配置して，固定することが可能である。
この場合，床面に接触する部分にはボルト，ナット等の固定部材を設けておらず，床面にボルト等を埋設して固定する必要が無いので，電源ポール（１０）の設置個所の床面に固定の痕跡（例えばボルト埋設の痕跡）を残してしまうことは無い。そのため，空港のロビー等の様に椅子のレイアウトを頻繁に変更する場所において，レイアウトの変更後に床面に前記痕跡，すなわち損傷部分が旅行客の目に晒されることがなく，公共施設である空港の床面が損傷することがなく，前記痕跡により旅行客が不快を感じる恐れがない。
そして，ブラケット（１２）を介して隣接する椅子（１１）のアーム（１３）によって固定されるので，本考案の電源ポール（１０）は転倒してしまうことなく，確実に直立した状態を維持することが出来る。
【００１３】
ここで，情報機器，特にスマートフォンでは電池容量が少ないため，頻繁に充電を行わなければならない。特に，飛行機で移動する旅客の場合には，飛行機内では充電が出来ないため，空港に到着した時点で充電量が非常に少なくなってしまうことがある。
しかし，充電ポール（或いはそのコンセント）の数が限られているため，空港の利用者が多い場合には，旅客の保持する情報機器の電池残量が少なくなっても，直ちに充電することが出来ない，と言う問題が存在する。
本考案において，電源ポール（１０）の同一高さ方向位置に（おける周方向に）複数のコンセント（２）を配置すれば，従来の電源ポールに比較して，多数（＝４×口数）の情報機器（例えば，スマートフォン等やタブレット，その他の端末）の充電を同時に行うことが出来る。特に空港ロビーの様に，多数の旅行客が情報機器に充電することを希望している場所においては，多数の機器を同時に充電できることのメリットは大きい。
【００１４】
本考案において，同一高さ方向位置（における周方向）で隣接するコンセント（２）の基盤が，相互に上下方向が逆になる様に配置されていれば，コンセント（２）の基盤における突出部分が同一高さ位置とはならない。そのため，コンセント（２）の基盤における突出部分により電源ポール（１０）のハウジング（１）内の空間が閉鎖されてしまうことは無く，電源ポール（１０）のハウジング（１）の径方向寸法を大きくする必要がない。
従って，電源ポール（１０）を太くすることなく，従来よりも多数の機器を充電することが出来る。
【００１５】
そして本考案において，内部に配線用遮断器（３：ブレーカー）を備え，当該配線用遮断器（３：ブレーカー）の最大定格電流を１０Ａ以下に設定すれば，１０Ａ以下という最大定格電流は家庭用の配線用遮断器の最大定格電流より低い数値であるため，本考案の電源ポール（１０）が空港ロビーで使用され，充電の利用が殺到して１０Ａを超える電流の需要があったとしても，電源ポール（１０）の配線用遮断器（２）が遮断され（いわゆる「落ちた」状態となり），空港全体が停電する恐れがない。
そのため，空港の安全な運用が保持される。
【００１６】
また本考案において，ケーシング（１）の上端部（１Ａ）を透光性材料で構成し，透光性材料の直下の位置に発光機器（４：例えばＬＥＤ電球）が設けられていれば，発光機器（４）からの光が透光性材料（ケーシング１の上端部１Ａ）を介して電源ポール（１０）の上端部（１Ａ）から周辺部に照射され，いわゆる「間接照明」と同様な効果を発揮する。それと共に，電源ポール（１０）の位置が把握し易くなり，充電を希望する旅行者が電源ポール（１０）を認識し易くなる。
それに加えて，電源ポール（１０）の上端部（１Ａ）が光ることによりディスプレイとしての機能し，また，常夜灯としても機能する。
【００１７】
ここで，本考案において，複数のブラケット（１２）を備え，椅子（１１）のアーム（１３）に取り付け可能な接続部材（１４）がブラケット（１２）の椅子（１１）のアーム（１３）側端部に接続していれば，接続部材（１４）を椅子（１１）の種類に合わせて変更すれば，どの様な種類の椅子（１１）であっても，アーム（１３）を有するタイプの椅子（１１）であれば，本考案の電源ポール（１０）を支持することが可能である。
そのため，係る構造を具備している場合には，前記椅子（１１）についてはアーム（１３）を具備する以外には特に限定条件は無い。
【００１８】
本考案において，電源ポール（１０）は少なくとも２脚の椅子（１１）間に配置され，前記複数のブラケット（１２）は平面形状が概略Ｘ字状になる様に配置されていれば，どの様な方向の外力が本考案の電源ポール（１０）に作用しても，当該外力はブラケット（１２）を介して前記少なくとも２脚の椅子（１１）の何れかが負担する。
そのため，空港ロビーの利用者が電源ポール（１０）にもたれかかる等の理由により，電源ポール（１０）に対して外力が作用したとしても，当該外力の作用する方向に拘らず，電源ポール（１０）は椅子（１１）により支持されるので，転倒することは防止される。
【００１９】
ここで，例えばボルト，ナット等の固定部材（１６）により，前記ブラケット（１２）を電源ポール（１０）に取り付けた場合には，ボルト，ナット（１６）の縁部は鋭利になっているため，子供が接触すると怪我をさせてしまう恐れが存在する。
それに対して，前記ブラケット（１２）の電源ポール（１０）側の端部は保護部材（１５）が設けられており，ブラケット（１２）を電源ポール（１０）に取り付ける固定部材（１６：例えば，ボルトヘッド等）は保護部材（１５）に埋設されていれば，当該固定部材（１６：例えば，ボルトヘッド等）は保護部材（１５）に埋設されるので，鋭利な縁部は保護部材（１５）の外部に露出しないので，子供が触れて怪我をすることも無い。
【図面の簡単な説明】
【００２０】
【図１】本考案の実施形態を示す正面図である。
【図２】図１のＡ−Ａ矢視断面図である。
【図３】図２で示す断面（Ｂ−Ｏ−Ｂ断面）近傍の詳細を示す拡大断面図である。
【図４】実施形態の配置の概要を示す説明図である。
【図５】実施形態において，ブラケットと電源ポールの相対位置を説明するための平面説明図である。
【図６】接続部材を介してブラケットとアームとを接続する構造の一態様を示す部分拡大図である。
【図７】図６で示す接続部材とは異なるタイプの接続部材によりブラケットとアームとを接続する態様を示す部分拡大図である。
【図８】電源ポールとブラケットの接続箇所を示す正面図である。
【図９】電源ポールとブラケットの接続箇所の平面拡大図である。
【図１０】半割部材を接合する固定部材と保護部材を示す部分拡大断面図である。
【考案を実施するための形態】
【００２１】
以下，添付図面を参照して，本考案の実施形態について説明する。
図１において，本考案の実施形態に係る電源ポールは全体を符号１０で示されており，同一高さ方向位置における周方向には，図２で示す様に４箇所のコンセント２を配置している。但し，同一高さ方向位置における周方向のコンセントの数は４個に限定される訳ではなく，複数（２口以上）設けられていれば良い。
図１，図２で示す電源ポール１０は，例えば空港等の公共施設に設置され，情報機器（例えば，スマートフォン等やタブレット，その他の端末等）の充電のための電源を提供する。
電源ポール１０の同一高さ方向位置の周方向において，等間隔に４箇所のコンセント２を配置している。そして電源ポール１０のケーシング１には，コンセント２を嵌合して取り付けるための取付部１Ｂ（開口部）が形成されている。図示の電源ポール１０は同一高さ方向位置において周方向に４個のコンセントを設けているため，２個のコンセントしか配置していない従来の電源ポール（図示せず）に比較して，多数の情報機器（例えば，スマートフォン等やタブレット，その他の端末）の充電を同時に行うことが出来る。
特に空港ロビーの様に，多数の旅行客が情報機器に充電することを希望している場所においては，多数の機器を同時に充電できることのメリットは大きい。
【００２２】
図３で示す様に，図示の実施形態では，周方向において隣接するコンセント２の基盤が，コンセント２の基盤の上下が相互に逆向きとなる様に配置されている。
コンセント２の基盤において，取り付け時に電源ポール１０内への突出量の大きい突出大部２Ａと，取り付け時に電源ポール１０内への突出量の小さい突出小部２Ｂが設けられている。周方向について隣接するコンセント２を設けるに際して，一方のコンセント（図２の断面Ｂ−Ｏ−Ｂ及び図３において，左側に配置されたコンセント２）は，突出大部２Ａが上方に位置しており，他方のコンセント（図２の断面Ｂ−Ｏ−Ｂ及び図３において右側に配置されたコンセント２であって，前記一方のコンセント２に隣接するコンセント２）は，突出小部２Ｂを上方にして配置している。
【００２３】
そのため，周方向に隣接するコンセント２の基盤における突出部分（突出大部２Ａ）同士が同一高さ位置とはならない。そのため，電源ポール１０のハウジング１の径方向寸法を大きくしなくても，コンセント２の基盤における突出部分（突出大部２Ａ）により電源ポール１０のハウジング１内の空間が極めて狭くなってしまうことが防止される。そして，電源ケーブルを配策する空間（空間ε，図３）を確保することが出来る。その結果，電源ポール１０を太くすることなく，従来よりも多数（４×コンセントの口数）の情報機器（スマートフォン等）を充電することが出来る。
また，図２，図３で示す様に，コンセント２は電源ポール１０の外周面から外方に出っ張っておらず（凸ではない），むしろ，コンセント２は電源ポール１０の外周面から凹んだ位置に設けられている。そのため電源ポール１０には突出部分が形成されておらず，例えば空港のロビーの様な混在する空間に電源ポール１０を設けたとしても，当該突出が利用者に不都合を与えてしまうことがない。
【００２４】
図１において，電源ポール１０のケーシング１内には，最大定格電流１０Ａの配線用遮断器３（ブレーカー）を設けている。図１において，ケーシング１におけるブレーカー３の収納窓部を符号１Ｃで示し，ブレーカー３（配線用遮断器）は破線で示されている。
ここで，「１０Ａ」という最大定格電流は，家庭用の配線用遮断器の最大定格電流を下回る低い数値である。そのため，図示の実施形態に係る電源ポール１０が空港ロビーで使用され，充電の利用が殺到して個々の電源ポール１０について１０Ａを超える電流の需要があったとしても，配線用遮断器３が作動して給電が遮断される（いわゆる「落ちた」状態となる）のは個々の電源ポール１０のみであり，空港全体が停電する恐れがない。そして，空港全体の停電によって，飛行機の運航に影響を及ぼすという事態は防止され，飛行機及び空港の安全な運用が保持される。
【００２５】
明確に図示はされていないが，図１，図３において，電源ポール１０のケーシング１の上端部１Ａは透光性材料（例えば，アクリル板）で構成されており，透光性材料（上端部１Ａ）の直下の位置に発行機器であるＬＥＤ電球４（図３）が設けられている。
そのため，ＬＥＤ電球４の光が透光性材料製の上端部１Ａを介して，電源ポール１０の上端から周辺部を照らし，間接照明と同様な効果をもたらす。それと共に，電源ポール１０の位置が把握し易くなり，充電を希望する旅行者が電源ポール１０を認識し易くなる。
そして夜間には，電源ポール１０の上端が光ることによりディスプレイとして機能する。さらに，常夜灯としても機能する。
なお，図１において，符号１２，２３は，図４以降で説明するブラケット，電源ポール側取付部材（半割部材）を示している。
【００２６】
図４で示す様に，図示の実施形態に係る電源ポール１０は，２脚（複数）の椅子１１に挟まれる様に配置されており，換言すれば，２脚の椅子１１の背もたれ部分の間に位置している。そして，電源ポール１０はブラケット１２を介して，それぞれの椅子１１のアーム１３に固定されている。アーム１３は，それぞれ図４の紙面に垂直な方向に延在しており，連続して並んでいる椅子１１同士を接続する部材であり，例えば空港ロビーの旅行客休息用の椅子には必ず設けられている。
図示の実施形態の電源ポール１０はブラケット１２を介して椅子１１のアーム１３に固定されているので，その様なアーム１３を備えたタイプの椅子１１が配置されている場所であれば，何処でも設置可能である。
図４では，いわゆる「背中合わせ」に配置された椅子１１の間に電源ポール１０が配置されている。しかし，図示はしないが，例えば単一（或いは一列）の椅子１１と壁の間に電源ポール１０を配置しても良い。換言すれば，アーム１３を有する椅子１１近傍（例えば背部）であれば，図示の実施形態に係る電源ポール１０は何処でも配置することが出来る。
【００２７】
図示の実施形態の電源ポール１０はブラケット１２を介して椅子１１のアーム１３に固定されて，椅子１１により支持されているので，固定部材により床面に取り付ける必要がなく，床面にボルト等を埋設して床面にボルト埋設の痕跡を残してしまうことが無い。そのため，空港のロビー等の様に椅子のレイアウトを頻繁に変更する場所において，レイアウトの変更後に床面に電源ポールを床面に固定した痕跡，すなわち損傷部分が旅行客の目に晒されることがなく，旅行客が不快を感じる恐れがない。換言すれば，電源ポールを床に固定すると，床の損傷部分を旅行客に晒すことなく椅子のレイアウト変更を行うことが出来ないのである。床面が損傷していることを旅行客の目に晒すことは，公共施設である空港においては不都合だからである。
それに対して図示の実施形態では，図４で示す構造により，床面を傷つけることなく電源ポール１０を支持，固定することが出来る。そして，床に損傷部分を生じることがなく，そのため旅行客に損傷部分を晒すことなく，椅子のレイアウト変更を行うことが出来るというのは，特に空港のロビー等に設けられる機器にとっては，重要な利点である。
【００２８】
図５において，電源ポール１０は，２本のアーム１３（図５で左右２本のアーム１３）で２箇所ずつ，合計４箇所で取り付けることにより，支持されている。
４本のブラケット１２の平面形状は概略Ｘ状であり，ブブラケット１２の一端は電源ポール１０側に取り付けられ，他端を椅子１１（図４）のアーム１３側に取り付けられている。ブラケット１２の電源ポール１０への取り付け構造，ブラケット１２のアーム１３への取り付け構造については，図６〜図１０を参照して後述する。
なお，ブラケット１２なる文言及び符号「１２」はブラケット１２−１〜１２−４を包括的に示している。
【００２９】
図示の実施形態の様に，ブラケット１２の平面状の配置をＸ字状とし，９０度ずつ（図５の図示しない水平線に対して４５度）の角度をもって延在させることで，どの様な方向の外力が電源ポール１０に作用しても，当該外力はブラケット１２を介して少なくとも２脚の椅子１１（図４参照）の何れかが負担するので，電源ポール１０は確実に支持される。例えば，空港ロビーの利用者が電源ポール１０にもたれかかっとしても，利用者の体重は電源ポール１０，ブラケット１２を介して椅子１１により支持されるので，電源ポール１０が転倒してしまうことは防止される。
ここで，４本のブラケット１２の平面上の配置がＸ字状ではなく，相互に９０度ずつ角度を形成して（水平線に対して４５度）に延在していなければ，ブラケット１２による支持力が弱い方向が出来てしまう。そのため，４本のブラケット１２の平面上の配置は，相互に９０度ずつ角度を形成したＸ字状が望ましい。ただし，ブラケット１２の延在方向は，水平線に対して４５度±１５度（或いは相互に６０度〜１２０度の角度を形成する関係）とすることも可能である。
【００３０】
ここで，異なるメーカーの椅子に対応し，異なるレイアウトに対応するため，ブラケット１２は，椅子のメーカー，レイアウトと無関係に同一の構造となっている。一方，ブラケット１２をアーム１３に取り付ける構造は，アーム１３の位置，形状，レイアウト等に対応して，適宜設定される。
図６を参照して，ブラケット１２を椅子１１（図４参照：図６では図示せず）のアーム１３に取り付ける構造の一例を説明する。
図６において，ブラケット１２におけるアーム１３側端部（図６では左端部）は，椅子１１のアーム１３に取り付け可能な接続部材１４を介して，椅子１１（図４参照：図６では図示せず）のアーム１３に接続されている。
接続部材１４は，アーム１３にブラケット１２を取り付けるための部材であり，矩形断面を有するアーム１３を包囲する様に構成される本体部１４Ａと，本体部１４Ａの側面からブラケット１２方向に延在する中空パイプ状のブラケット側接続部１４Ｂを有している。
【００３１】
図６において，接続部材１４の本体部１４Ａをアーム１３に取り付ける（固定する）ため，本体部１４Ａとアーム１３の間に干渉部材１７（例えば，ゴム）を介在させ，締結部材１８及び１９で締め付けている。がたつき防止のために締結部材１８，１９は押しピンで構成されている。
本体部１４Ａとアーム１３の間に干渉部材１７を介在させているのは，本体部１４Ａを取り付けることによってアーム１３が傷ついてしまうことを防止するためである。椅子の交換，レイアウト変更，椅子の表面の部材の張り替え等で，アーム１３が露出した場合，アーム１３が損傷していると見栄えが悪く，空港等の公共施設の利用者に不快感を与えてしまうため，アーム１３が傷つかない様にすることには大きなメリットがある。
【００３２】
図６において，ブラケット１２を接続部材１４のブラケット側接続部１４Ｂに取り付ける（固定する）ために，中空パイプ状のブラケット側接続部１４Ｂを，中空パイプ状のブラケット１２のアーム側端部（ブラケット側接続部１４Ｂより僅かに大径）に嵌入して，締結部材２０で締め付けている。
図６の例では，接続部材１４は，中空四角柱状に板状部材を加工した本体部１４Ａと中空パイプ状のブラケット側接続部１４Ｂを組み合せて構成されているが，ブラケット１２を接続部材１４に取り付けるための構造は，メーカー毎に或いは各メーカーにおける商品ごとに，変更することが出来る。
ここで，アーム１３の床面からの高さ寸法Ｈα（図４参照）は，概略一定である。メーカーが異なってもシート１１の高さ寸法は概略一定であり，そのため寸法Ｈαも概略一定である。
【００３３】
上述して様に，図示の実施形態において，ブラケット１２は，椅子のメーカー，レイアウトと無関係に同一の構造としており，ブラケット１２のアーム１３側端部における接続部材１４を適宜選択すれば，どの様な種類の椅子１１であっても，アーム１３を有するタイプの椅子１１であれば，図示の実施形態に係る電源ポール１０を支持することが出来る。
そのため，図示の実施形態に係る電源ポール１０を支持する条件としては，椅子１１（図４）がアーム１３を具備することのみであり，その他の限定条件は無い。
【００３４】
ここで，ブラケット１２をアーム１３に取り付けるための部材である接続部材１４は，板状部材で構成される場合もあれば，管状部材（中空パイプ等）で構成される場合もある。上述した様に，椅子の種類に対応して接続部材１４は構成される。
図６とは異なる接続部材を用いて，ブラケット１２とアームとを接続する態様を，図７で示す。
図７において，中空パイプ状のアーム１３−１と，アーム１３−１に取り付けられたキャスト受け部材２１は，接続部材１４−１により，ブラケット１２のアーム１３−１側端部（図７では左端部）と接続している。
接続部材１４−１は，板状の本体部１４−１Ａと，本体部１４−１Ａからキャスト受け部材２１の方向（図７では左側）に延在する板状のアーム側接続部１４−１Ｂと，本体部１４−１Ａからブラケット１２の方向（図７では右側）に延在する中空パイプ状のブラケット側接続部１４−１Ｃを有している。
【００３５】
図７において，接続部材１４−１のアーム側接続部１４−１Ｂをキャスト受け部材２１と重ね合わせ，締結部材２２で締め付けることにより，接続部材１４−１をアーム１３―１に取り付ける（固定する）。
一方，接続部材１４−１の中空パイプ状のブラケット側接続部１４−１Ｃを，中空パイプ状のブラケット１２のアーム側端部に嵌入して，締結部材２０で締め付けることにより，ブラケット１２を接続部材１４−１に取り付ける（固定する）。
【００３６】
次に，図８〜図１０を参照して，ブラケット１２を電源ポール１０に固定する構造について説明する。
図８，図９で示す様に，ブラケット１２の電源ポール１０側端部には，中空円筒を半割状にした形状の電源ポール側取付部材２３（半割部材）が，溶接等の公知の方法によって固定されている。図９において，ブラケット１２−１，１２−２は半割部材２３−１に固定され，ブラケット１２−３，１２−４は半割部材２３−２に固定されている。
半割部材２３−１，２３−２は，それぞれ，半径方向外方に突出しているフランジ部２３Ａ，２３Ａを有しており，フランジ部２３Ａ，２３Ａには固定部材１６（例えば，ボルト等）を挿通させる取付用孔（図示せず）が貫通している。ここで，「半割部材２３」なる文言或いは符号「２３」は，半割部材２３−１，２３−２を包括的に表現する場合に用いられる。
ブラケット１２を固定した半割部材２３を電源ポール１０に固定する際には，一対の半割部材２３−１，２３−２により電源ポール１０を包囲する様に配置し，フランジ部２３Ａ，２３Ａにおいて固定部材１６で固定或いは締結する。なお，固定部材１６で固定した箇所に設けた保護部材１５については，図１０を参照して後述する。
【００３７】
図８に示す様に，半割部材２３及びフランジ部２３Ａ，２３Ａは，ブラケット１２の電源ポール１０側の取付部分において，上下方向（電源ポール１０の長手方向）に充分な長さを有している。半割部材２３により電源ポール１０を包囲している上下方向（電源ポール１０の長手方向）の長さは，ブラケット１２を電源ポール１０に確実に固定するのに必要な長さ以上に設定されている。
【００３８】
半割部材２３のフランジ部２３Ａにおいて，固定部材１６（ボルト等）で締結してブラケット１２（半割部材２３）を電源ポール１０に固定する場合に，ボルトヘッドやボルト先端が露出していると，当該露出している個所は鋭利であり，子供が接触すると怪我をする恐れがある。
，ボルトヘッドやボルト先端が露出している個所に子供が接触して怪我をする事態を防止するため，図１０に示す保護部材１５を介在させて，固定部材１６（ボルト等）を締め付ける。
【００３９】
図１０において，全体を符号１５で示す保護部材は円柱状に構成されており，ボルトヘッド嵌入部１５Ａを形成したヘッド側保護部材１５−１と，非貫通孔（いわゆる「盲孔」）に雌ネジ１５Ｂを形成したナット側保護部材１５−２を有している。ここで，「保護部材１５」という文言及び符号「１５」は，ヘッド側保護部材１５−１，ナット側保護部材１５−２を包括的に表現している。
ヘッド側保護部材１５−１は，例えば半割部材２３−１のフランジ部２３Ａに（溶接等の従来公知の方法により）固定されている。一方，ナット側保護部材１５−２は，半割部材２３−２のフランジ部２３Ａに（溶接等の従来公知の方法により）固定されている。ヘッド側保護部材１５−１のボルトヘッド嵌入部１５Ａは，ボルト１６（固定部材）のボルトヘッドが完全に埋没するのに十分な深さ（図１０の上下方向寸法）を有する凹部として構成されている。
保護部材１５を介在させてボルト１６（固定部材）を締結した場合，鋭利な縁部を有するボルト１６のボルトヘッドはヘッド側保護部材１５−１に埋設され，ヘッド側保護部材１５−１の外部に露出しない。一方，ボルト１６の鋭利な先端もナット側保護部材１５−２に埋設され，ナット側保護部材１５−２の外部に露出しない。したがって，鋭利なボルトヘッド及びボルト１６の先端は露出せず，子供が触れて怪我をすることが防止される。
【００４０】
図１及び図８において，電源ポール１０に取り付ける半割部材２３の高さ方向位置（上下方向位置）は調整可能である。
図１において，寸法δ１は，ブレーカー３の収納窓部１Ｃの下端部から半割部材２３の上端部までの距離であり，寸法δ１が半割部材２３を上方へ移動する場合の調整代となる。
一方，図８の寸法δ２は，半割部材２３の下端部から電源ポール１０の電気配線の出口である通信用孔１Ｄ（例えば１５φ）までの距離であり，寸法δ２が半割部材２３を下方へ移動する場合の調整代となる。
そのため，半割部材２３は，ブレーカー３の収納窓部１Ｃの下端部から電源ポール１０の通信用孔１Ｄの間の領域における好適な位置に調整されて，電源ポール１０に取り付けられる。
【００４１】
図示はされていないが，電源ポール１０内の電気配線について説明する。
４箇所のコンセント２の基盤からそれぞれ６本（３本＋３本）ずつ合計２４本の配線と，ＬＥＤ電球４（発光機器）からの３本の配線（合わせて２７本）を，そのままブレーカーに接続することは困難である。
そのため，先ず，当該２７本の配線を電源ポール１０の下側で３本にまとめ，３本にまとめた配線を電源ポール１０内のブレーカー３に接続する。そして，ブレーカー３からの３本の配線を１本にまとめて，通信用孔１Ｄから電源ポール１０外に延在している。
【００４２】
図示の実施形態はあくまでも例示であり，本考案の技術的範囲を限定する趣旨の記述ではないことを付記する。
例えば，図示の実施形態では電源ポール１０における同一の高さ方向位置の周方向に４口のコンセントが設けられているが，２口，３口或いは５口以上のコンセントを設けることも可能である。
また，図示の実施形態では「背中合わせ」に配置された椅子１１の間に電源ポール１０が配置されているが，アーム１３を有する椅子１１近傍であれば，椅子１１と壁の間に電源ポール１０を配置しても良いし，その他の位置に電源ポール１０を配置することが出来る。
【符号の説明】
【００４３】
１・・・ケーシング
１Ａ・・・上端部（透光性材料）
２・・・コンセント
３・・・ブレーカー（配線用遮断器） 
４・・・ＬＥＤ電球（発光機器）
１０・・・電源ポール
１１・・・椅子
１２・・・ブラケット
１３・・・アーム
１４・・・接続部材
１５・・・保護部材
１６・・・固定部材（ボルトヘッド等）
２３・・・半割部材（電源ポール側取付部材）
【図１】
0003221355.tif 000003
【図２】
0003221355.tif 000004
【図３】
0003221355.tif 000005
【図４】
0003221355.tif 000006
【図５】
0003221355.tif 000007
【図６】
0003221355.tif 000008
【図７】
0003221355.tif 000009
【図８】
0003221355.tif 000010
【図９】
0003221355.tif 000011
【図１０】
0003221355.tif 000012
【手続補正書】
【提出日】平成31年3月12日(2019.3.12)
【手続補正１】
【補正対象書類名】実用新案登録請求の範囲
【補正対象項目名】全文
【補正方法】変更
【補正の内容】
【実用新案登録請求の範囲】
【請求項１】
椅子に隣接して配置されており，ブラケットを介して椅子のアームに固定されており，床面に接触する部分には固定部材を設けていないことを特徴とする電源ポール。
【請求項２】
同一高さ方向位置に複数のコンセントを配置した請求項１の電源ポール。
【請求項３】
内部に配線用遮断器を備え，当該配線用遮断器の最大定格電流が１０Ａ以下に設定されている請求項１，２の何れかの電源ポール。
【請求項４】
ケーシングの上端部が透光性材料で構成されており，透光性材料の直下の位置に発光機器が設けられている請求項１〜３の何れか１項の電源ポール。
【請求項５】
複数のブラケットを備え，当該ブラケットの先端には接続部材が設けられ、当該接続部材は椅子のアームを包囲している請求項１〜４の何れか１項の電源ポール。
【請求項６】
複数のブラケットを備え，当該ブラケットの先端には接続部材が設けられ、当該接続部材は椅子のアームの一部に締結されている請求項１〜４の何れか１項の電源ポール。
【請求項７】
少なくとも２脚の椅子間に配置され，前記複数のブラケットは平面形状が概略Ｘ字状になる様に配置されている請求項１〜６の何れか１項の電源ポール。
【請求項８】
前記ブラケットの電源ポール側の端部は保護部材が設けられており，ブラケットを電源ポールに取り付ける固定部材は保護部材に埋設されている請求項１〜７の何れか１項の電源ポール。